(57)【要約】【課題】利用者が設定一覧の印刷やメニューの操作を行うことなく、装置の設定や状態を確認することが可能で、表示順も利用者の好みに応じて設定する。【解決手段】表示内容をカスタマイズする場合には、カスタマイズ用のメニューに入り（Ｓ１０１）、カスタム表示管理テーブルで管理される表示順序を選択する（Ｓ１０２）。次いで表示内容管理テーブルの表示項目を表示し（Ｓ１０３）、この表示された表示項目から表示するものを選択し（Ｓ１０４）、さらに、カスタム表示管理テーブルで管理される表示レベルを選択する（Ｓ１０５）。そして、Ｓ１０２で選択した位置が既に他の項目で登録済みかどうかをチェックし（Ｓ１０６）、登録済みであると、利用者が選択した内容を登録されている項目と置換して（Ｓ１０７）登録し（Ｓ１０８）、登録済みでなければ、そのまま選択された内容を登録する（Ｓ１０９）。【選択図】図５
2008090610.tif 000002
【特許請求の範囲】
【請求項１】
表示対象となる機器の状態項目を設定された順番に従って複数表示する表示手段と、
前記表示手段に表示させる状態項目と表示させる順番を設定する設定手段と、
前記設定手段によって設定された状態項目と順序とを記憶するテーブルと、
を備え、
前記表示手段は前記テーブルに記憶された順序に基づいて状態表示を行うことを特徴とする表示装置。
【請求項２】
請求項１記載の表示装置において、
前記設定手段は前記機器の状態に応じた複数の表示レベルを設定し、
前記表示手段は前記機器の状態と一致する表示レベルが設定された状態項目を表示することを特徴とする表示装置。
【請求項３】
請求項１記載の表示装置において、
利用者が前記表示手段に表示させる表示項目及び／又は表示順序を選択登録する際に使用する専用のメニューを備えていることを特徴とする表示装置。
【請求項４】
請求項３記載の表示装置において、
利用者が前記表示手段に表示させる表示項目及び／又は表示順序を選択登録する際のメニュー上において表示登録することのできない表示項目は選択不能な状態に設定されていることを特徴とする表示装置。
【請求項５】
請求項３記載の表示装置において、
利用者が前記表示手段に表示させる表示項目及び／又は表示順序を選択登録する際のメニュー上において表示登録することのできない表示項目は選択肢として表示しないことを特徴とする表示装置。
【請求項６】
請求項２記載の表示装置において、
利用者が前記表示手段に表示させる表示項目及び／又は表示順序を選択登録する際に、登録する表示項目をエラーレベルによって表示／非表示を設定することを特徴とする表示装置。
【請求項７】
請求項１記載の表示装置において、
利用者が前記表示手段に表示させる表示項目及び／又は表示順序を選択登録する際に、特定のキー操作で表示されている内容を選択登録することを特徴とする表示装置。
【請求項８】
請求項１記載の表示装置において、
利用者が前記表示手段に表示させる表示項目及び／又は表示順序を選択登録する際に表示させる位置に既に登録されていた場合、その位置の前に前記選択登録する表示項目及び／又は表示順序を挿入することを特徴とする表示装置。
【請求項９】
請求項１の記載の表示装置において、
利用者が前記表示手段に表示させる表示項目及び／又は表示順序を選択登録する際に表示させる位置に既に登録されていた場合、その位置の後に前記選択登録する表示項目及び／又は表示順序を追加することを特徴とする表示装置。
【請求項１０】
請求項１記載の表示装置において、
利用者が表示手段に表示させる表示項目及び／又は表示順序を選択登録する際に表示させる位置に既に表示項目が登録されていた場合、前記選択登録する表示項目及び／又は表示順序を前記登録されている表示項目と置換することを特徴とする表示装置。
【請求項１１】
請求項１記載の表示装置において、
利用者が設定した表示手段に表示させる表示項目及び／又は表示順序を削除する手段を備えていることを特徴とする表示装置。
【請求項１２】
請求項１１記載の表示装置において、
利用者が前記表示項目を選択削除する際に、表示項目を１つずつ削除する手段を備えていることを特徴とする表示装置。
【請求項１３】
請求項１１記載の表示装置において、
利用者が表示項目を選択削除する際に、表示項目を全て１度に削除する手段を備えていることを特徴とする表示装置。
【請求項１４】
請求項１１記載の表示装置において、
利用者が表示内容を選択削除する際に使用する専用のメニューを備えていることを特徴とする表示装置。
【請求項１５】
請求項１１記載の表示装置において、
利用者が表示内容を選択削除する際に特定のキー操作で前記表示内容を削除することを特徴とする表示装置。
【請求項１６】
請求項１ないし１５のいずれか１項に記載の表示装置を備えていることを特徴とする画像形成装置。
【請求項１７】
表示対象となる機器の状態項目を設定された順番に従って複数表示する工程と、
前記表示工程で表示させる状態項目と表示させる順番を設定する工程と、
前記設定工程で設定された状態項目と順序とを所定のテーブルとして記憶する工程と、
を備え、
前記表示する工程では、前記記憶する工程で前記所定のテーブルに記憶された順序に基づいて状態表示を行うことを特徴とする表示方法。
【請求項１８】
請求項１７記載の表示方法において、
利用者が設定した表示項目及び／又は表示順序を削除する工程を備えていることを特徴とする表示方法。
【請求項１９】
コンピュータに読み取られ、実行されるコンピュータプログラムであって、
表示対象となる機器の状態項目を設定された順番に従って複数表示する手順と、
前記表示手順で表示させる状態項目と表示させる順番を設定する手順と、
前記設定手順で設定された状態項目と順序とを所定のテーブルとして記憶する手順と、
を備え、
コンピュータが前記所定のテーブルに記憶された順序に基づいて状態表示を行わせることを特徴とするコンピュータプログラム。
【請求項２０】
請求項１９記載のコンピュータプログラムがコンピュータによって読み取られ、実行可能に記録されていることを特徴とする記録媒体。
【発明の詳細な説明】
【技術分野】
【０００１】
本発明は、メニューや設定項目などを表示する表示装置、及びこの表示装置を備えたプリンタ、複写機、ファクシミリ及びこれらの機能を複合したデジタル複合機等の画像形成装置、表示装置に表示させる表示方法、コンピュータプログラム及び記録媒体に関する。
【背景技術】
【０００２】
転送されてきた画像データを処理する画像処理装置、あるいは転送され、もしくは自機で読み込んだ画像データを処理し、画像出力する画像形成装置では、表示パネルあるいは走査パネルを兼ねた表示パネルが一般に設けられている。この表示パネルでは、操作メニューやメッセージなどが表示され、マン−マシンＩ／Ｆとして機能している。
【０００３】
例えば画像形成装置におけるこの種の表示パネルの通常の状態表示では利用者が望む情報が表示されない場合がある。利用者自身が望む情報を取得するためには、パネルの画面を操作して所望の情報を表示させるか、情報一覧を印刷する必要がある。
【０００４】
この種の技術として例えば特許文献１に記載された発明が知られている。この発明は、メニューを適切な分類メニューの下に追加するため、メニュー項目及びその分類を示すカテゴリ情報を保管するメニュー項目データベースから所望のメニュー項目を選択する選択ステップと、当該選択ステップで選択されるメニュー項目に付属するカテゴリ情報に登録される分類メニューが既存のメニュー構成にあるかどうかを判定する分類判定ステップと、当該分類判定ステップの判定結果に従い、当該選択ステップで選択されるメニュー項目に付属するカテゴリ情報に登録される分類メニューが既存のメニュー構成にある場合に、当該メニュー構成の当該分類メニュー下に当該選択されるメニュー項目を配置する配置ステップとを備えた構成を特徴としている。
【特許文献１】特開２００２−１８３１７２号公報
【発明の開示】
【発明が解決しようとする課題】
【０００５】
しかし、特許文献１記載の発明は前記配置ステップの構成から分かるようにメニューの再配置についてのもので、この引用文献１記載の発明では、装置の状態（設定内容）表示のカスタマイズは行うことはできなかった。
【０００６】
そこで、本発明が解決すべき課題は、利用者が設定一覧の印刷やメニューの操作を行うことなく、装置の設定や状態を確認することができ、表示順も利用者の好みに応じて設定できるようにすることにある。
【課題を解決するための手段】
【０００７】
前記課題を解決するため、第１の手段は、表示対象となる機器の状態項目を設定された順番に従って複数表示する表示手段と、前記表示手段に表示させる状態項目と表示させる順番を設定する設定手段と、前記設定手段によって設定された状態項目と順序とを記憶するテーブルと、を備え、前記表示手段は前記テーブルに記憶された順序に基づいて状態表示を行うことを特徴とする。
【０００８】
第２の手段は、第１の手段において、前記設定手段は前記機器の状態に応じた複数の表示レベルを設定し、前記表示手段は前記機器の状態と一致する表示レベルが設定された状態項目を表示することを特徴とする。
【０００９】
第３の手段は、第１の手段において、利用者が前記表示手段に表示させる表示項目及び／又は表示順序を選択登録する際に使用する専用のメニューを備えていることを特徴とする。
【００１０】
第４の手段は、第３の手段において、利用者が前記表示手段に表示させる表示項目及び／又は表示順序を選択登録する際のメニュー上において表示登録することのできない表示項目は選択不能な状態に設定されていることを特徴とする。
【００１１】
第５の手段は、第３の手段において、利用者が前記表示手段に表示させる表示項目及び／又は表示順序を選択登録する際のメニュー上において表示登録することのできない表示項目は選択肢として表示しないことを特徴とする。
【００１２】
第６の手段は、第２の手段において、利用者が前記表示手段に表示させる表示項目及び／又は表示順序を選択登録する際に、登録する表示項目をエラーレベルによって表示／非表示を設定することを特徴とする。
【００１３】
第７の手段は、第１の手段において、利用者が前記表示手段に表示させる表示項目及び／又は表示順序を選択登録する際に、特定のキー操作で表示されている内容を選択登録することを特徴とする。
【００１４】
第８の手段は、第１の手段において、利用者が前記表示手段に表示させる表示項目及び／又は表示順序を選択登録する際に表示させる位置に既に登録されていた場合、その位置の前に前記選択登録する表示項目及び／又は表示順序を挿入することを特徴とする。
【００１５】
第９の手段は、第１の手段において、利用者が前記表示手段に表示させる表示項目及び／又は表示順序を選択登録する際に表示させる位置に既に登録されていた場合、その位置の後に前記選択登録する表示項目及び／又は表示順序を追加することを特徴とする。
【００１６】
第１０の手段は、第１の手段において、利用者が表示手段に表示させる表示項目及び／又は表示順序を選択登録する際に表示させる位置に既に表示項目が登録されていた場合、前記選択登録する表示項目及び／又は表示順序を前記登録されている表示項目と置換することを特徴とする。
【００１７】
第１１の手段は、第１の手段において、利用者が設定した表示手段に表示させる表示項目及び／又は表示順序を削除する手段を備えていることを特徴とする。
【００１８】
第１２の手段は、第１１の手段において、利用者が前記表示項目を選択削除する際に、表示項目を１つずつ削除する手段を備えていることを特徴とする。
【００１９】
第１３の手段は、第１１の手段において、利用者が表示項目を選択削除する際に、表示項目を全て１度に削除する手段を備えていることを特徴とする。
【００２０】
第１４の手段は、第１１の手段において、利用者が表示内容を選択削除する際に使用する専用のメニューを備えていることを特徴とする。
【００２１】
第１５の手段は、第１１の手段において、利用者が表示内容を選択削除する際に特定のキー操作で前記表示内容を削除することを特徴とする。
【００２２】
第１６の手段は、第１ないし第１５のいずれかの手段に係る表示装置を画像形成装置が備えていることを特徴とする。
【００２３】
第１７の手段は、表示対象となる機器の状態項目を設定された順番に従って複数表示する工程と、前記表示工程で表示させる状態項目と表示させる順番を設定する工程と、前記設定工程で設定された状態項目と順序とを所定のテーブルとして記憶する工程と、を備え、前記表示する工程では、前記記憶する工程で前記所定のテーブルに記憶された順序に基づいて状態表示を行う表示方法を特徴とする。
【００２４】
第１８の手段は、第１７の手段において、利用者が設定した表示項目及び／又は表示順序を削除する工程を備えていることを特徴とする。
【００２５】
第１９の手段は、コンピュータに読み取られ、実行されるコンピュータプログラムであって、表示対象となる機器の状態項目を設定された順番に従って複数表示する手順と、前記表示手順で表示させる状態項目と表示させる順番を設定する手順と、前記設定手順で設定された状態項目と順序とを所定のテーブルとして記憶する手順と、を備え、コンピュータが前記所定のテーブルに記憶された順序に基づいて状態表示を行わせるコンピュータプログラムを特徴とする。
【００２６】
第２０の手段は、第１９の手段に係るコンピュータプログラムがコンピュータによって読み取られ、実行可能に記録媒体に記録されていることを特徴とする。
【００２７】
なお、後述の実施形態では、表示手段は操作パネル４に、設定手段は操作パネル４及びＣＰＵ９に、それぞれ対応し、テーブルはＨＤＤ１７あるいはＮＶ−ＲＡＭ１１に設定される。
【発明の効果】
【００２８】
本発明によれば、利用者が設定一覧の印刷やメニューの操作を行うことなく、装置の設定や状態を確認することが可能で、表示順も利用者の好みに応じて設定することができる。
【発明を実施するための最良の形態】
【００２９】
以下、図面を参照し、本発明の実施形態について説明する。
【００３０】
図１は本発明の実施形態に係るプリンタとＰＣのシステム構成を示すブロック図である。  
同図において、本発明の実施形態に係るシステムは、ネットワークＮＴに１台のプリンタ１と複数台（この図では５台）のパーソナルコンピュータＰＣが接続され、各パーソナルコンピュータＰＣが１台のプリンタ１を共有している。
【００３１】
図２はプリンタの制御構成を示すブロック図である。プリンタ１はコントローラ２、操作パネル４及びプリンタエンジン１３を備えている。コントローラ２はその時設定されている制御モード、ホストＰＣ３、あるいはネットワーク１５からの制御コードに従って、ホストＰＣ３からの印字データを、ビデオデータに変換してプリンタエンジン１３へ出力する制御機構の総称で、ホストＩ／Ｆ５、プログラムＲＯＭ６、ネットワークＩ／Ｆ６、パネルＩ／Ｆ８、フォントＲＯＭ６、ＣＰＵ９、ＲＡＭ１０、ＮＶＲＡＭ１１、エンジンＩ／Ｆ１２、オプションＲＡＭ１４及びハードディスク装置（ＨＤＤ）１７の各モジュールで構成される。
【００３２】
ホストＩ／Ｆ５は、ホストＰＣ３からプリンタ１への制御信号及びデータ、プリンタ１からホストＰＣ３へのステータス信号のインターフェースである。ネットワークＩ／Ｆ１６は、ネットワーク１５からプリンタ１への制御信号及びデータ、プリンタ１からネットワーク１５へのステータス信号のインターフェースである。ＣＰＵ９は、プログラムＲＯＭ６に格納されたプログラムに従ってホストＰＣ３からのデータ（印字データ，制御データ）を処理する。ＲＡＭ１０は、ＣＰＵ９が処理する時のワークメモリ、ホストＰＣからのデータをページ単位に管理して一時記憶するバッファ、及びバッファに記憶されたデータを実際の印字パターンに変換し、ビデオデータを記憶するビットマップメモリ等に使われる。
【００３３】
ＨＤＤ（大量記憶装置）１７は大容量のデータを記憶する。ＮＶ−ＲＡＭ１１は、電源を切っても保持したいデータを格納しておくための不揮発性ＲＡＭである。プログラムＲＯＭ６は、コントローラ２内でのデータの処理、管理、周辺モジュールの制御のためのプログラムが格納されている。フォントＲＯＭ７は、印字に使用されるさまざまな種類のフォントを有する。エンジンＩ／Ｆ１２はコントローラ２からプリンタエンジン１３への制御信号及びビデオ信号、プリンタからコントローラへのステータス信号のインターフェースである。テーブルは前記ＨＤＤ１７あるいはＮＶ-ＲＡＭ１１に設定される。
【００３４】
プリンタエンジン１３は、コントローラ２からのビデオ信号および制御信号により感光体上に静電潜像を作り、現像し、また給紙部より転写紙を給紙し、転写及び定着する機能を有し、転写紙上に可視画像を形成し、出力する。操作パネル４は、プリンタ１の状態を示す表示部、及びプリンタ１のモード、フォント等を切替えるスイッチ部からなる。パネルＩ／Ｆ８は、コントローラ２と操作パネル４とのインターフェースである。プリンタの状態とは、例えばトナー残量、用紙残量などであり、これらの状態を示す項目が操作パネル４に表示される。
【００３５】
このように構成されたプリンタでは、次のようにしてデータ処理が行われる。すなわち、ホストＩ／Ｆ５を通してホストＰＣ３から送られてきたデータは、ＣＰＵ９がプログラムＲＯＭ６上のデータ解析プログラムにしたがって解析し、前記送られてきたデータを印字データおよび印字制御データ（SP，CR，LF，HT，VT，…等）とその他に分ける。印字データおよび印字制御データはＲＡＭ１０上の受信バッファに一旦記憶される。一旦記憶された受信データは、プログラムＲＯＭ６上の制御プログラムが一つずつ取り出して、その処理を行う。例えば、取り出したデータが文字コードであれば、印字位置、印字サイズ、文字コード、フォント情報等を備えた中間コードを作成し、ＲＡＭ１０上に設けられた中間バッファに収納する。制御コードや、エスケープシーケンス等のコマンドであった場合、それらに予め定義された処理を行う。それは、例えば、印字位置の指定であったら、次に来た文字コードの位置を指定された位置にするとか、フォントの変更であった場合は、次に来た文字コードのフォント情報を指定されたフォントにするといった具合に処理を行う。こうして、ホストからのプリント命令の処理を行うか、または処理を行ったデータが１ページ分を超えたら、次に中間バッファに貯えられた中間コードを、制御プログラムにしたがって、ビデオデータに変換する処理を行う。変換が終了したら、コントローラ２はエンジンＩ／Ｆ１２を通してプリンタエンジン１３にプリントスタートの命令を出し、それに同期してビデオデータを転送する。
【００３６】
以上のような一連の流れで、ホストからの印字データがプリンタエンジンを介して印字される．
ところで、本実施形態では利用者が操作パネル４に表示させる表示項目や表示順序を選択登録する際には専用のメニューを使用する。このメニューに入った後、図３に示す登録内容を管理するテーブル（カスタム表示管理テーブル）から表示順序を決め、図４に示す表示項目を管理するテーブル（表示内容管理テーブル）から、新たに登録する表示項目を選択肢として登録する。専用のメニューはユーザが操作パネル４に表示させる表示項目や表示順序を選択するためのメニューである。
【００３７】
図３は、表示内容を管理するためのテーブルの一例を示す図である。この表示内容管理テーブルは「メニューＩＤ」、「表示内容」、「選択」欄からなり、「メニューＩＤ」に対応して「表示内容」及び「選択」の内容が表示される。「選択」の列は表示内容をカスタマイズするときに、選択の対象となっているか否かを管理するための情報を示す。
【００３８】
図４は、カスタマイズ表示を管理するためのカスタム表示管理テーブルの一例を示す図である。このカスタム表示管理テーブルは、「表示位置（順序）」、「メニューＩＤ」、「表示レベル」欄からなり、「表示位置（順序）」に対応して「メニューＩＤ」及び「表示レベル」の内容が表示される。表示レベルのエラー１、エラー２の例として、エラーやワーニング（処理続行可能なエラー）等がある。メニューＩＤは複数のメニューを区別するためのＩＤを示している。
【００３９】
一方、利用者が操作パネル４に表示させる表示項目や表示順序を選択登録する際、選択登録したい表示項目が表示されているときに、特定のキー操作を行うことによって前記表示項目がカスタム表示管理テーブルに選択登録され、その際に表示順序を選択する。ここでいう特定のキー操作とは、例えば左右キーを同時に押下する、ＯＫキー及びキャンセルキーを同時に押下するといった処理である。
【００４０】
前記表示内容管理テーブルには、「選択」の列があり、表示項目を選択登録する際に、選択の対象となっているか否かを管理する。この情報が選択不可となっている表示項目は、選択登録する際に選択できないようにし、あるいは表示項目を選択する際に、表示させずに選択できないようにさせる。
【００４１】
また、利用者が操作パネル４に表示させる表示項目や表示順序を選択登録する際、図４のように「表示順序」、対応する「メニューＩＤ」、「表示レベル」を管理し、表示順序とともに通常時やエラーレベルによって、表示／非表示を細かく管理できるようにする。
【００４２】
また、表示順序を指定する際、既に登録設定されている表示順序が指定された場合には、既に登録設定されている表示項目の前に該表示項目を挿入し、あるいは登録設定されている表示項目の後に該表示項目を追加し、あるいは既に登録されている表示項目と置換する。
【００４３】
さらに、利用者が登録した表示項目を操作パネル４に表示する際、図４のカスタム表示管理テーブルで管理される登録された表示項目順に沿って、表示項目を取得し、機器の状態と表示レベルを比較して、表示レベルを満たしている場合には操作パネル４に表示する。この場合、機器の状態はトナー残量、用紙残量などであり、これらの残量のレベルと表示レベルを比較する。
【００４４】
他方、利用者が登録した表示項目を削除する場合には、専用のメニューを使用する。このメニューに入った後、図４のカスタム表示管理テーブルから削除する項目を決め、１つずつ登録項目を削除する。
【００４５】
利用者が登録した表示項目を削除する場合には、また、削除したい項目が表示されているときに、特定のキー操作を行うことによって、管理テーブルの各表示項目の欄が削除され、１つずつ登録項目を削除することができる。あるいは、管理テーブルを初期化すれば、登録内容を一度に全て削除することができる。なお、初期化についても、予め特定のキー操作（例えば２つのキーのアンド動作）に初期化の機能を割り付けておけば、前述の特定のキー操作と同等に前記２つのキーを同時に押下することにより初期化を行うことができる。
【００４６】
なお、利用者が操作パネル４に表示させる表示項目や表示順序を選択登録する際に使用する専用のメニュー、あるいは利用者が登録した表示項目を削除する際に使用する専用のメニューは、特に図示しないが、操作パネルの登録キーあるいは削除キーを押下すると、専用のメニューが表示されるとともに呼び出され、そのメニューに沿って処理すれば、前記登録及び削除が行われる。
【００４７】
図５及び図６は表示項目及び表示順序登録時の手順を示すフローチャートである。  
図５は表示内容をカスタマイズする際の処理手順の一例を示すフローチャートである。  表示内容をカスタマイズする場合には、まず、カスタマイズ用のメニューに入り（ステップＳ１０１）、図４のカスタム表示管理テーブルで管理される表示順序を選択（指定）する（ステップＳ１０２）。次いで、図３の表示内容管理テーブルの表示項目を表示し（ステップＳ１０３）、この表示された表示項目から表示するものを選択し（ステップＳ１０４）、さらに、図４のカスタム表示管理テーブルで管理される表示レベルを選択する（ステップＳ１０５）。そして、ステップＳ１０２で選択した位置が既に他の項目で登録済みかどうかをチェックし（ステップＳ１０６）、登録済みであると、利用者が選択した内容を登録されている項目と置換して（ステップＳ１０７）登録し（ステップＳ１０８）、登録済みでなければ、そのまま選択された内容を登録する（ステップＳ１０９）。
【００４８】
図６は利用者が登録した表示項目及び表示順序を表示する際の処理手順を示すフローチャートである。この処理手順では、まず、通常の表示項目を表示し（ステップＳ２０１）、 図４のカスタム表示管理テーブルで管理される登録された表示項目が存在するか否かをチェックする（ステップＳ２０２）。このチェックで存在すると判断された場合は、次に表示する登録項目の情報を図４のカスタム表示管理テーブルから取得する（ステップＳ２０３）。そして、ステップＳ２０３で取得した表示項目に表示レベルが設定されているか否かをチェックし（ステップＳ２０４）、設定されていると判断された場合、機器の状態を取得する（ステップＳ２０５）。次いで、ステップＳ２０３で取得した表示項目とステップＳ２０５において取得した機器の状態を比較し、登録項目の表示レベルを満たしているかどうかをチェックする（ステップＳ２０６）。ステップＳ２０６で表示レベルを満たしている判断された場合、登録されている表示項目を表示し（ステップＳ２０７）、 図４のカスタム表示管理テーブルに次に表示すべき登録項目が存在するか否かをチェックし（ステップＳ２０８）、存在する場合はステップＳ２０３に戻って、ステップＳ２０３以降の処理を実行し、存在しない場合にはステップＳ２０１に戻ってステップＳ２０１以降の処理を実行する。なお、ステップＳ２０４で表示レベルが設定されていなければ、そのままステップＳ２０７に移行して登録項目を表示する。
【００４９】
以上のように、本実施形態によれば、
１）利用者が装置の表示手段に表示させる状態項目と表示順序を登録削除する事が可能な手段を設けたので、利用者の好みに応じて表示内容を変更することができる。  
２）利用者がメニューだけでなく、装置の状態表示を利用者の好みに応じて再配置することが可能となり、利用者の利便性を高めることができる。  
等の効果を奏する。
【図面の簡単な説明】
【００５０】
【図１】本発明の実施形態に係るプリンタとＰＣのシステム構成を示すブロック図である。
【図２】プリンタの制御構成を示すブロック図である。
【図３】表示内容を管理するためのテーブルの一例を示す図である。
【図４】カスタマイズ表示を管理するためのカスタム表示管理テーブルの一例を示す図である。
【図５】表示内容をカスタマイズする際の処理手順の一例を示すフローチャートである。
【図６】利用者が登録した表示項目及び表示順序を表示する際の処理手順を示すフローチャートである。
【符号の説明】
【００５１】
１  プリンタ
２  コントローラ
３  ホストＰＣ
４  操作パネル
６  プログラムＲＯＭ
７  フォントＲＯＭ
９  ＣＰＵ
１０  ＲＡＭ
１１  ＮＶＲＡＭ
１３  プリンタエンジン
１７  ＨＤＤ
【図１】
2008090610.tif 000003
【図２】
2008090610.tif 000004
【図３】
2008090610.tif 000005
【図４】
2008090610.tif 000006
【図５】
2008090610.tif 000007
【図６】
2008090610.tif 000008